【手続補正書】
【提出日】平成25年7月11日(2013.7.11)
【手続補正１】
【補正対象書類名】明細書
【補正対象項目名】発明の名称
【補正方法】変更
【補正の内容】
【発明の名称】撮影装置、撮影装置の撮影方法、及びプログラム
【手続補正２】
【補正対象書類名】明細書
【補正対象項目名】０００１
【補正方法】変更
【補正の内容】
【０００１】
本発明は、撮影装置の撮影状況を表すアイコンの画像を撮影画像に表示する撮影装置、撮影装置の撮影方法、及びプログラムに関する。
【手続補正３】
【補正対象書類名】明細書
【補正対象項目名】０００３
【補正方法】変更
【補正の内容】
【０００３】
上記従来例においては、撮影済みの撮影画像を鑑賞する場合において、シャッター速度、絞り値の撮影条件における具体的な数値読み取ることにより撮影条件を確認することができるが、撮影した場合の撮影状況を直感的に把握又は把握し易くするものにならない。
換言すると、上記従来例においては、撮影画像を鑑賞して撮影状況を把握しようとした場合、シャッター速度、絞り値等、カメラにより撮影する場合に必須に近い撮影条件の情報が羅列され、暑かった状況で撮影したり、郊外まで出かけて撮影したりしたような撮影状況を直感的に把握することが困難である。  
このため、鑑賞する場合において、撮影状況を直感的に把握し易くするような画像を表示できるような撮影装置が望まれる。  
本発明は上述した点に鑑みてなされたもので、撮影状況を直感的に把握し易くする撮影装置、撮影装置の撮影方法、及びプログラムを提供することを目的とする。
【手続補正４】
【補正対象書類名】明細書
【補正対象項目名】０００４
【補正方法】変更
【補正の内容】
【０００４】
本発明の一態様による撮像装置は、被写体を撮像する撮像部と、上記撮像部により撮像された画像を撮影画像として記録する記録部と、複数種類のセンサ情報を取得し、取得した上記センサ情報が所定の撮影状況に該当するか否かを判定する情報取得・判定部と、上記所定の撮影状況に対応したアイコンの画像を生成するアイコン生成部と、上記アイコンの画像を上記撮影画像と合成した合成画像を生成する合成画像生成部と、画像を表示する表示部と、撮影の指示操作に従って、上記情報取得・判定部により撮影状況を検出し、上記アイコン生成部でアイコン画像を生成し、合成画像生成部により生成した合成画像を上記表示部に表示すると共に、上記記録部により撮影画像を記録するように制御する制御部と、を有し、上記合成画像を表示部によって表示可能にした。
また、本発明の撮影装置の撮影方法において、撮影の指示操作に従って、被写体を撮像し、複数種類のセンサ情報を取得し、取得した上記センサ情報が所定の撮影状況に該当するか否かを判定し、上記所定の撮影状況に対応したアイコンの画像を生成し、上記アイコンの画像を上記撮影画像と合成して合成画像を生成し、上記合成画像を画像を表示すると共に、上記撮像された画像を撮影画像として記録するように制御する。
また、本発明のプログラムは、撮影装置の制御部に、撮影の指示操作に従って、被写体を撮像させる手順と、複数種類のセンサ情報を取得し、取得した上記センサ情報が所定の撮影状況に該当するか否かを判定する手順と、上記所定の撮影状況に対応したアイコンの画像を生成する手順と、上記アイコンの画像を上記撮影画像と合成して合成画像を生成する手順と、上記合成画像を画像を表示させると共に、上記撮像された画像を撮影画像として記録するように制御するよう指示する手順と、を実行させる。
【手続補正５】
【補正対象書類名】特許請求の範囲
【補正対象項目名】全文
【補正方法】変更
【補正の内容】
【特許請求の範囲】
【請求項１】
被写体を撮像する撮像部と、
上記撮像部により撮像された画像を撮影画像として記録する記録部と、
複数種類のセンサ情報を取得し、取得した上記センサ情報が所定の撮影状況に該当するか否かを判定する情報取得・判定部と、
上記所定の撮影状況に対応したアイコンの画像を生成するアイコン生成部と、
上記アイコンの画像を上記撮影画像と合成した合成画像を生成する合成画像生成部と、
画像を表示する表示部と、
撮影の指示操作に従って、上記情報取得・判定部により撮影状況を検出し、上記アイコン生成部でアイコン画像を生成し、合成画像生成部により生成した合成画像を上記表示部に表示すると共に、上記記録部により撮影画像を記録するように制御する制御部と、
を有したことを特徴とする撮影装置。
【請求項２】
上記制御部は、上記情報取得・判定部が上記所定の撮影状況に該当すると判定した場合に上記合成画像を上記表示部に表示するように制御することを特徴とする請求項１に記載の撮影装置。
【請求項３】
さらに、上記撮影画像におけるローコントラスト領域を検出するローコントラスト検出部を有し、上記アイコン生成部は、検出された上記ローコントラスト領域に上記アイコンの画像を配置し、上記表示部は、上記ローコントラスト領域に上記アイコンの画像が配置された上記合成画像を表示することを特徴とする請求項１に記載の撮影装置。
【請求項４】
上記制御部は、上記ローコントラスト検出部が上記アイコンを配置可能とする条件を満たすローコントラスト領域を検出しない場合には、上記表示部に表示される上記撮影画像に上記アイコンの画像を表示しないように制御することを特徴とする請求項３に記載の撮影装置。
【請求項５】
さらに、上記情報取得・判定部により取得した上記センサ情報が所定の撮影状況に該当する場合に、上記所定の撮影状況に対応して予め用意されたアイコンの画像を格納するアイコン格納部を有し、上記アイコン生成部は、上記情報取得・判定部により取得された複数種類のセンサ情報が上記所定の撮影状況に該当する判定結果の場合に、上記アイコン格納部から上記所定の撮影状況に対応するアイコンの画像を読み出して、上記所定の撮影状況に対応する上記アイコンの画像を生成することを特徴とする請求項１に記載の撮影装置。
【請求項６】
さらに、被写体における顔部分を検出する顔検出部を有し、上記アイコン生成部は、上記撮影画像における上記顔検出部により検出された顔部分以外の領域に上記アイコンの画像を生成することを特徴とする請求項１に記載の撮影装置。
【請求項７】
上記情報取得・判定部は、上記撮影装置の位置又は移動距離、温度、水深若しくは高度、音声のセンサ情報と、日時に関する情報のうち、少なくとも２つ以上の情報を取得することを特徴とする請求項１に記載の撮影装置。
【請求項８】
さらに、上記情報取得・判定部は、上記撮影時の情報として、音声のセンサ情報を環境音の情報として取得し、上記アイコン生成部は、上記環境音の情報に対応したアイコンの画像を生成することを特徴とする請求項７に記載の撮影装置。
【請求項９】
さらに、上記アイコンの画像を表示又は生成する場合の優先度を設定する優先度設定部を有することを特徴とする請求項３又は６に記載の撮影装置。
【請求項１０】
上記制御部は、上記撮影画像の表示状態において上記アイコンの画像を合成して表示する第１の表示切替の制御、又は上記第１の表示切替の制御状態から上記アイコンを非表示に切り替える第２の表示切替の制御を行うことを特徴とする請求項９に記載の撮影装置。
【請求項１１】
撮影装置の撮影方法において、
撮影の指示操作に従って、被写体を撮像し、
複数種類のセンサ情報を取得し、取得した上記センサ情報が所定の撮影状況に該当するか否かを判定し、
上記所定の撮影状況に対応したアイコンの画像を生成し、
上記アイコンの画像を上記撮影画像と合成して合成画像を生成し、
上記合成画像を画像を表示すると共に、上記撮像された画像を撮影画像として記録するように制御することを特徴とする撮影装置の撮影方法。
【請求項１２】
撮影装置の制御部に、
撮影の指示操作に従って、被写体を撮像させる手順と、
複数種類のセンサ情報を取得し、取得した上記センサ情報が所定の撮影状況に該当するか否かを判定する手順と、
上記所定の撮影状況に対応したアイコンの画像を生成する手順と、
上記アイコンの画像を上記撮影画像と合成して合成画像を生成する手順と、
上記合成画像を画像を表示させると共に、上記撮像された画像を撮影画像として記録するように制御するよう指示する手順と、
を実行させるためのプログラム。